(57)【要約】      （修正有）【課題】農作業の効率化に優れ、また、土壌還元消毒作用があり、更には、製造コストを低減した生分解性農業用シートを提供する。【解決手段】生分解性農業用シート１は、ポリブチレンアジペート／テレフタレートの混合量は７５％程度、砂糖若しくは糖蜜Ｎ、又はこれらの混合物の混合量は５乃至７％程度、充填材としての炭酸カルシウムＰの混合量は１８％程度であるように構成した。また、この場合、所定量、例えば１２％程度の黄色の顔料又は染料を混合して、黄色に着色されているようにすると、黄色は害虫に対して忌避作用があり、防虫剤散布等の防虫作業の負担が軽減される。【選択図】図１
0003191317.tif 000002
【実用新案登録請求の範囲】
【請求項１】
所定量のポリブチレンアジペート／テレフタレートと、
所定量の砂糖若しくは糖蜜、又はこれらの混合物と、
所定量の充填材とを混合してなることを特徴とする生分解性農業用シート。
【請求項２】
前記ポリブチレンアジペート／テレフタレートの混合量は７５％程度、前記砂糖若しくは糖蜜、又はこれらの混合物の混合量は５乃至７％程度、前記充填材として、例えば、炭酸カルシウムの混合量は１８％程度であることを特徴とする請求項１記載の生分解性農業用シート。
【請求項３】
前記生分解性農業用シートに所定量、例えば１２％程度の黄色の顔料又は染料を混合して、黄色に着色されていることを特徴とする請求項１又は２のいずれかに記載の生分解性農業用シート。
【考案の詳細な説明】
【技術分野】
【０００１】
本考案は、生分解性プラスチックを用いた生分解性農業用シートに係り、特に、農作業の効率化に優れ、土壌還元消毒作用があり、また、製造コストを低減した生分解性農業用シートに関するものである。
【背景技術】
【０００２】
主にデンプンや糖の含有量の多いトウモロコシやサトウキビなどから製造される生分解性プラスチックが、農業分野に応用され、農作業の負担軽減や、土壌の劣化防止に役立っている。
【０００３】
例えば、本件考案者は、本件に先立ち、特許文献１に示す生分解性プラスチックを用いた、生分解性農業用肥料シートを考案している。
この生分解性農業用肥料シートについて、以下、簡単に説明する。
【０００４】
特許文献１記載の生分解性農業用肥料シートは、生分解性プラスチックとして、ポリ乳酸フィルム材料に、肥料成分としてのコウモリの糞化石粉や、コウモリの糞化石粉以外の窒素肥料成分及びリン酸肥料成分、並びに、カリウム肥料成分の混合肥料成分や糖蜜を混合させることにより製造される。
【０００５】
このような素材とする手段としては、例えば、ポリ乳酸フィルム生成の最終段階のポリ乳酸フィルムの巻取工程の直前の工程として、肥料成分が混合されて液状としたものを、溶液槽を通過させる工程を加えることで、各成分をポリ乳酸フィルム材料中に含浸させ、乾燥工程を経て生成するようにしたものである。
或いは、このような含浸による手段に代え、肥料成分の溶液を収納した噴射ノズルを用いて既存のポリ乳酸フィルム材料の表面又は裏面の一方或いは双方に対して噴射することでこれらの混合肥料成分をポリ乳酸フィルム材料に付着させたものである。
【０００６】
このように構成される生分解性農業用肥料シートは、素材となるポリ乳酸フィルム材料が、コウモリの糞化石粉を肥料成分として有しているから、農作物を生育する畑のうね等の農地に敷設するようにすれば、農地に含まれた水分又は雨により、敷設された農地に密着し、時間の経過と共に、生分解性農業用肥料シートに含有されている窒素肥料成分、リン酸肥料成分及びカリウム肥料成分は、前述のように有機性の肥料要素を適切に配合した三大肥料成分であり、これらの各肥料成分が適切に土壌に溶け込んでゆくから、土壌中の微生物の増殖を活発にし、生分解性農業用肥料シートを配置した農地の農作物は、農地から十分な栄養素を得て、農作物の苗等の理想的な生育を促し、また、土壌の改良を行う。
【０００７】
【特許文献１】実用新案登録第３１３１６２６
【考案の開示】
【考案が解決しようとする課題】
【０００８】
ところで、上記したように、特許文献１記載の生分解性農業用肥料シートは、生分解性プラスチックとして、ポリ乳酸フィルムを用いている。
このポリ乳酸フィルムを用いた生分解性農業用肥料シートは、農作物を生育する畑のうね等の農地に敷設した場合、概ね、生分解するには４乃至５ヶ月という相対的に長期の期間を要する。
【０００９】
また、土壌に完全に埋めない部分は、微生物が分泌する酵素により生分解させるには更に長期間を要し、残存した生分解性農業用肥料シートを除去する工程が必要になり、農作業の過大な負担となっていた。
更に、ポリ乳酸フィルムは、概ね、４乃至５ヶ月で生分解すると目されていたが、添加剤を加えて耐久性を高めたものは５年間ほとんど生分解しないという実証データも報告されており、この場合は、除去作業の他に、廃棄作業も必要になり、農作業の負担が一層過大になるという問題がある。
特に、廃棄処理は、野焼きが法律で禁止され、各市町村では、大半を焼却・埋め立て処理しており、重い負担となっている。
【００１０】
本考案は、上記従来の課題を解決し、農作業の効率化に優れ、また、土壌還元消毒作用があり、更には、製造コストを低減した生分解性農業用シートを提供することを目的とする。
【課題を解決するための手段】
【００１１】
本考案の生分解性農業用シートは、請求項１に記載のものでは、所定量のポリブチレンアジペート／テレフタレートと、所定量の砂糖若しくは糖蜜、又はこれらの混合物と、所定量の充填材とを混合してなるように構成した。
【００１２】
請求項２に記載の生分解性農業用シートは、前記ポリブチレンアジペート／テレフタレートの混合量は７５％程度、前記砂糖若しくは糖蜜、又はこれらの混合物の混合量は５乃至７％程度、前記充填材としての炭酸カルシウムの混合量は１８％程度であるように構成した。
【００１３】
請求項３に記載の生分解性農業用シートは、前記生分解性農業用シートに所定量、例えば１２％程度の黄色の顔料又は染料を混合して、黄色に着色されているように構成した。
【考案の効果】
【００１４】
本考案の生分解性農業用シートは、上述のように構成したために、以下のような優れた効果を有する。
（１）請求項１に記載したように構成すると、生分解性農業用シートは、比較的短い期間で、ほぼ完全に生分解するために、生分解性農業用シートを除去及び廃棄する作業工程が不要となり、農作業の過大な負担を軽減でき、農作業の効率化に寄与し、農作物の生産コストを大幅に削減できる。
（２）また、所定量の砂糖若しくは糖蜜、又はこれらの混合物の作用により、土壌が還元消毒され、土壌の悪化を防止できる。
【００１５】
（３）請求項２に記載したように構成すると、強度や成分が好適な配分の生分解性農業用シートとすることができる。
【００１６】
（４）請求項３に記載したように構成すると、黄色は害虫に対して忌避作用があり、防虫剤散布等の防虫作業の負担が軽減される。
【考案を実施するための最良の形態】
【００１７】
以下、本考案の生分解性農業用シートの一実施の形態について、各図を用いて説明する。
先ず、本考案の生分解性農業用シートの構成について、図１及び図２を用いて具体的に説明する。
図１及び図２は本考案の一実施の形態を示すもので、図１は平面図、図２は側面図である。
【００１８】
図１及び図２において、本実施の形態の生分解性農業用シート１以下のような製造工程により形成される。
先ず、ポリブチレンアジペート／テレフタレート（以下「ＰＢＡＴ」という）の混合量を７５％程度、糖蜜Ｎの混合量を５％程度、充填材としての炭酸カルシウムＰの混合量を１８％程度とする。
また、２％程度の、例えばワックス、又は、ステアリン酸等のスリップ剤及びアンチブロック剤成分Ｋを混合し、更に、これに対して、例えば１２％程度の黄色の顔料又は染料を混合して黄色に着色し、ＰＢＡＴフィルム２状に形成する。
ここで、充填材として炭酸カルシウムＰを用いているので、生分解性農業用シート１の強度を高めることができる。
また、スリップ剤及びアンチブロック剤を混合することで、シートの成形を容易にしている。
なお、「ＰＢＡＴ」は、Poly buthylen adipate/terephtarateの略称で、生分解性プラスチックの一つである。
【００１９】
次に、本実施の形態の生分解性農業用シート１を形成する手段としては、例えば、ＰＢＡＴフィルム２生成の最終段階のＰＢＡＴフィルム２の巻取工程の直前の工程として、糖蜜成分ＮをＰＢＡＴフィルム２材料中に含浸させ、乾燥工程を経て生成するようにしたものである。
なお、図１及び図２では上述した糖蜜成分Ｎを○で、炭酸カルシウムＰを×で、また、スリップ剤成分Ｋを△で、夫々模式的に表示している。
【００２０】
上記のように、母体となるＰＢＡＴは、概ね２乃至４ヶ月程度でほぼ完全に生分解すると実証されている。
従って、母体として、文献１に記載したようにポリ乳酸フィルムを用いた場合は、概ね生分解するのに４乃至５ヶ月を要していたのに比較して、速やかに生分解する。
【００２１】
また、上述したようにポリ乳酸フィルムでは、生分解し難い部分が残存して、除去作業や、廃棄処理の作業負担が過大になるという問題があったが、ＰＢＡＴフィルムの場合は、ほぼ完全に生分解され、除去作業や廃棄処理の作業が不要であり、農作業の負担が大幅に軽減される。
【００２２】
コスト面では、ポリ乳酸フィルムより、ＰＢＡＴフィルムの方が２乃至３割程度廉価であり、生分解性農業用シート１の製造コストを削減できる。
また、上記したように、農作業の負担が軽減されることにより、農作物の生産コスト削減に寄与する。
【００２３】
本実施の形態の生分解性農業用シート１は、５％程度の糖蜜を含ませているが、これにより、生分解の進行が速まるほか、土壌が還元消毒され、土壌の悪化を防止できるという作用効果を有する。
これは、生分解性農業用シート１の糖蜜Ｎの糖成分を微生物が好んで食べるために生分解が速まると共に、微生物による酸素の消費で還元作用に移行し、多くの土壌病害虫は死滅したり、増殖が抑えられ、また、発酵熱による消毒効果があるためである。
これにより薬剤による土壌消毒は不要になり、農作業の負担が軽減され、農作物の生産コストも削減できると共に、土壌の悪化も防止することができる。
【００２４】
なお、本実施の形態の生分解性農業用シート１では、５％程度の糖蜜を含ませているが、これは、糖蜜の含有比率が高まると、シートの強度を維持するのが困難になり、例えば、含有比率を３０％程度にすると、ＰＢＡＴフィルム２がペースト状になって、シートを形成するのが困難になることが、実際の製作工程で明らかにされている。
また、含有比率を５％未満とした場合は、微生物による生分解の促進作用や、土壌の還元消毒作用がやや低減してしまうためである。
【００２５】
本実施の形態の生分解性農業用シート１は、１２％程度の黄色の顔料又は染料を混合して、黄色に着色されている。
このようにすると、黄色は害虫に対して忌避作用があり、防虫剤を散布する等の防虫作業の負担が軽減される。
これは、昆虫は、一般に、黄色、緑、青、紫に敏感で、燈火に集まる虫は青い色が好きで、黄色や赤が嫌いであるという傾向がある。
従って、本実施の形態の生分解性農業用シート１は、黄色に着色するということで、害虫を予防でき、防虫剤を散布する等の農作業の負担を軽減し、農作物の生産コストを下げることができる。
【００２６】
次に、本実施の形態の生分解性農業用シート１の使用形態について、図３及び図４を用いて説明する。
図３は、本実施の形態の生分解性農業用シート１の使用形態を示す平面図である。
図４は、本考案の一実施の形態の生分解性農業用シートの機能を示す平面図である。
本実施の形態の生分解性農業用シート１は、同図に示すように、種蒔き用又は苗植え付け用の孔３ａ1、３ａ2、３ａ3、・・・・３ａnを所定間隔に設けることで構成される。
この場合、各孔３ａ1〜３ａnの間隔は、この生分解性農業用シート１を用いる場所で生育する農作物の種別（キャベツ、レタス、ピーマン、ナス、トマト等）によって最適の間隔となるように設定すればよい。
【００２７】
このような種蒔き用又は苗植え付け用の孔３ａ1〜３ａnが形成された生分解性農業用シート１を対象とする畑のうねＵ１、Ｕ２の長さに切断したものを、各うね部分Ｕ１、Ｕ２に配置し、生分解性農業用シート１の各側面一帯に土を載せる等して固定した後、各孔３ａ1〜３ａnの部分に対して農作物の種又は苗４ａ1〜４ａn、４ｂ1〜４ｂnを植え付ければよい。
なお、生分解性農業用シート１を固定するために、土を載せる手段に代えて、生分解性農業用シート１の両側の側面部に、図示は省略するが、簡単な支柱を設けて固定するようにしても良い。
【００２８】
このようにして畑の各うね部分Ｕ１、Ｕ２に生分解性農業用シート１を配置すれば、畑の土に含有されている水や雨水によって、各生分解性農業用シート１は畑のうね部分にくっつき、土壌と一体化し、これらの生分解性農業用シート１に含有されている糖蜜成分が、生分解の進行が速まるほか、土壌が還元消毒され、土壌の悪化を防止する。
【００２９】
また、本実施の形態の生分解性農業用シート１は、黄色に着色されているため、生分解性農業用シート１が生分解されるまで、害虫に対して忌避作用があり、防虫剤を散布する等の防虫作業の負担が軽減される。
【００３０】
本考案の生分解性農業用シート１では、微生物が生分解性農業用シート１の母体をなすＰＢＡＴフィルムを食べることで生分解される。
このように生分解して、消滅した状態を、図４では破線で示した。
即ち、生分解性農業用シート１に土壌が載せられている部分や、地面に接している裏面側では、土壌に直接接しているため、土壌中の微生物が生分解性農業用シート１に直接接触でき、一方、地上から露出した部分の表面側の部分については、雨水などの水分を介して土壌との接触状態を密とし、さらに、近傍の土壌からも微生物を取り込むことで、それらの微生物がＰＢＡＴフィルムの植物素材を食べることによる生分解作用が行われるので、本実施の形態の生分解性農業用シート１は所定期間の内に、自然崩壊して消滅する。
従って、本考案の生分解性農業用シート１を使用した場合には、従来の農業用シートのように、生分解されずに、不要となった農業用シートを除去する手間が省け、また、廃棄物処理の問題も解決できる。
【００３１】
本考案の生分解性農業用シートは、上記の実施形態に示したものに限定されず、これらの実施形態に示された技術思想に基づき、各種の変形が可能である。
【図面の簡単な説明】
【００３２】
【図１】本考案の一実施の形態の生分解性農業用シートを示す平面図である。
【図２】本考案の一実施の形態の生分解性農業用シートを示す側面図である。
【図３】本考案の一実施の形態の生分解性農業用シートの構成とこれが農地に配置される場合を示す平面図である。
【図４】本考案の一実施の形態の生分解性農業用シートの機能を示す平面図である。
【符号の説明】
【００３３】
１：生分解性農業用シート
２：ＰＢＡＴフィルム材料
Ｎ：糖蜜
Ｐ：炭酸カルシウム
Ｋ：スリップ剤
３ａ1〜３ａn：種蒔き用又は苗植え付け用の孔
４ａ1〜４ａn、４ｂ1〜４ｂn：農作物の種又は苗
【図１】
0003191317.tif 000003
【図２】
0003191317.tif 000004
【図３】
0003191317.tif 000005
【図４】
0003191317.tif 000006
【手続補正書】
【提出日】平成26年4月4日(2014.4.4)
【手続補正１】
【補正対象書類名】実用新案登録請求の範囲
【補正対象項目名】全文
【補正方法】変更
【補正の内容】
【実用新案登録請求の範囲】
【請求項１】
所定量のポリブチレンアジペート／テレフタレートと、
所定量の砂糖若しくは糖蜜、又はこれらの混合物と、
所定量の充填材とを混合してなる混合物を、シート状に形成したことを特徴とする生分解性農業用シート。
【請求項２】
前記ポリブチレンアジペート／テレフタレートの混合量は７５％程度、前記砂糖若しくは糖蜜、又はこれらの混合物の混合量は５乃至７％程度、前記充填材としての炭酸カルシウムの混合量は１８％程度であることを特徴とする請求項１記載の生分解性農業用シート。
【請求項３】
前記生分解性農業用シートに所定量の黄色の顔料又は染料を混合して、黄色に着色されていることを特徴とする請求項１又は２のいずれかに記載の生分解性農業用シート。
【手続補正２】
【補正対象書類名】明細書
【補正対象項目名】００１１
【補正方法】変更
【補正の内容】
【００１１】
本考案の生分解性農業用シートは、請求項１に記載のものでは、所定量のポリブチレンアジペート／テレフタレートと、所定量の砂糖若しくは糖蜜、又はこれらの混合物と、所定量の充填材とを混合してなる混合物を、シート状に形成した構成とした。
【手続補正３】
【補正対象書類名】明細書
【補正対象項目名】００１２
【補正方法】変更
【補正の内容】
【００１２】
請求項２に記載の生分解性農業用シートは、前記ポリブチレンアジペート／テレフタレートの混合量は７５％程度、前記砂糖若しくは糖蜜、又はこれらの混合物の混合量は５乃至７％程度、前記充填材としての炭酸カルシウムの混合量は１８％程度であるように構成した。
【手続補正４】
【補正対象書類名】明細書
【補正対象項目名】００１３
【補正方法】変更
【補正の内容】
【００１３】
請求項３に記載の生分解性農業用シートは、前記生分解性農業用シートに所定量の黄色の顔料又は染料を混合して、黄色に着色されているように構成した。